(57)【要約】      （修正有）【課題】コンクリート構造物の建設時に使用される型枠の再利用を促進するためのコンクリート型枠用補強資材バラシバールを提供する。【解決手段】前面板部２１と後面板部２２が天板部２３により接続された側面視がコ字型の嵌合枠体２４と嵌合枠体２４の前面板部２１の下端縁から前方に突設された差込板部２５からなるヘッド部２０と、ヘッド部２０の天板部２３の上面に上方へ突設された柄部３０からなる。ヘッド部２０の差込板部２５には、先端が前下がりの鋭角面に形成されると共に先端が左右に開口し、基端が閉じるＶ字状の切込部２７が設けられる。【選択図】図１
0003211377.tif 000002
【実用新案登録請求の範囲】
【請求項１】
前面板部と後面板部が天板部により接続された側面視がコ字型の嵌合枠体と前記嵌合枠体の前面板部の下端縁から前方に突設された差込板部からなるヘッド部と、前記ヘッド部の天板部の上面に上方へ突設された柄部からなるコンクリート型枠用補強資材バラシバール。
【請求項２】
前記ヘッド部の差込板部には、先端が前下がりの鋭角面に形成されると共に先端が左右に開口し、基端が閉じるＶ字状の切込部が前後に設けられてなる請求項１のコンクリート型枠用補強資材バラシバール。
【請求項３】
前記ヘッド部の天板部には、その上面より上方に突出する接続棒が溶接されて配備されてなる請求項１のコンクリート型枠用補強資材バラシバール。
【請求項４】
前記柄部は、前記ヘッド部の天板部の接続棒に嵌合溶接されたパイプ部材が配備されてなる請求項３のコンクリート型枠用補強資材バラシバール。
【請求項５】
前記柄部は、上端寄り所要長さが後方へ所要角折曲され、直線状に上端面に至る形状に形成されてなる請求項１乃至４のいずれか１のコンクリート型枠用補強資材バラシバール。
【考案の詳細な説明】
【技術分野】
【０００１】
本考案は、コンクリートを打設時に使用する型枠において型枠板と一体に固着されて強度を補強する補強資材の桟木等を型枠板から直接に作用して取り外すコンクリート型枠用補強資材バラシバールに関するのである。
【背景技術】
【０００２】
従来、一般的に、コンクリート打設時には、図３に示すように、コンクリート型枠が使用され、コンクリート打設後は、それが解体・清掃されて再使用されるものである。
【０００３】
近年、建設業界においても人手不足の問題が深刻化しており、作業の簡易化、迅速化が要請されている。
【０００４】
特許文献１は、前面が垂直な本体部２の背面に柄取付部３を設け、この柄取付部３に柄６を取付けると共に、前記本体部２の前面板８の底部側に、横方向に間隔をおいて２本の差込み片５、５を突設し、この差し込み片５、５を木材パレット１０のフォーク挿入口１４に差し込んで、柄６を回動させることによりテコの原理により少ない力で天板１２を剥がして解体するようにした解体バールが提案されている。
【０００５】
特許文献２は、ヘッド部１３と柄部１４とによりバール本体１１が構成されている。グリップ１２が固定機構を介して柄部１４に固定されている。固定機構は、柄部１４に設けられた係合溝１８とグリップ１２に設けられた係合突片３３（３４）とにより構成されている。係合突片３３（３４）は凸条からなり、係合溝１８は凹条からなる。グリップ１２は、柄部１４の略全体を覆う形状である。バール本体１１は、炭素工具鋼又は合金工具鋼からなる。グリップ１２は、アイオノマー樹脂又はエチレ−メタクリル酸共重合体からなる、バールが提案されている。
【０００６】
特許文献３は、バール１は、ヘッド３と、柄部５と、グリップ７とを備えている。ヘッド３は、作用部９と胴部１１とを備えている。柄部５はパイプ（すなわち中空）であり、軽量である。従って、この柄部５を備えたバール１も軽量であり、作業者にとって扱いやすいものである。柄部５の前端は、胴部１１に形成された係合穴に圧入されている。圧入により、ヘッド３が柄部５に堅固に固定される。圧入では、ヘッド３及び柄部５が加熱されない。従って、熱履歴に起因する組織変態と、これに伴う脆化が生じない。このバール１は強度に優れる。圧入は溶接に比べて簡便であるバール１が提案される。
【０００７】
前記特許文献１は、本体部２の前面板８の底部側、横方向に間隔をおいて２本の差込み片５、５が突設されるから、２本の差込み片５、５の間に解体する部材を差し入れて横方向移動をなくして柄６を回動させることにより少ない力で安定して部材を解体することができるものであるが、コンクリート型枠の桟木等の型枠捕強資材に直設作用してこれをコンクリート型枠板から剥離解体するとはできないものである。
【０００８】
前記特許文献２は、グリップ１２を固定する機構が凸条と凹条により構成されて簡単・確実であり、グリップ１２がアイオノマー樹脂又はエチレ−メタクリル酸共重合体により構成されて手触りが良くなり且つ効果的に滑り止めが可能となるものであるが、特許文献１と同様に、コンクリート型枠の桟木等の型枠捕強資材に直設作用してこれをコンクリート型枠板から剥離解体するとはできないものである。
【０００９】
前記特許文献３のバール１は、ヘッド３、柄部５、グリップ７が前述のように構成されるから、バール１も軽量であり、作業者にとって扱いやすいものである。また、ヘッド３が柄部５に圧入固定され、圧入では、ヘッド３及び柄部５が加熱されないから、熱履歴に起因する組織変態と、これに伴う脆化が生じない強度に優れるものであるが、前記特許文献１および特許文献２と同様に、コンクリート型枠の桟木等の型枠捕強資材に対する剥離解体作業で前記特許文献１および特許文献２と同様の欠点を持つものである。
【特許文献１】実用新案登録第３１６１３６６号登録公報
【特許文献２】特開２００３−３００１７９号登録公報
【特許文献３】実用新案登録第３０８５３２９号登録公報
【考案の概要】
【考案が解決しようとする課題】
【００１０】
本考案のコンクリート型枠の桟木等補強資材バラシ用バールは、前記のような建設業界における要請に答えるものである。
【課題を解決するための手段】
【００１１】
前面板部と後面板部が天板部により接続された側面視がコ字型の嵌合枠体と前記嵌合枠体の前面板部の下端縁から前方に突設された差込板部からなるヘッド部と、前記ヘッド部の天板部の上面に上方へ突設された柄部からなるコンクリート型枠用補強資材バラシバールにある。
【００１２】
前記ヘッド部の差込板部には、先端が前下がりの鋭角面に形成されると共に先端が左右に開口し、基端が閉じるＶ字状の切込部が前後に設けられてなるものとしてもよいものである。
【００１３】
前記ヘッド部の天板部には、その上面より上方に突出する接続棒が溶接されて配備されてなるものとしてもよいものである。
【００１４】
前記柄部は、前記ヘッド部の天板部の接続棒に嵌合溶接されたパイプ部材が配備されてなるものとしてもよいものである。
【００１５】
前記柄部は、上端寄り所要長さが後方へ所要角折曲され、直線状に上端面に至る形状に形成されてなるものとしてもよいものである。
【考案の効果】
【００１６】
本考案のコンクリート型枠用補強資材バラシバールは、前述のように構成されるからコンクリート構造物の建設時に使用される型枠の再利用専用工具として活用できるものである。
【図面の簡単な説明】
【００１７】
【図１】本考案の実施例であるコンクリート型枠用補強資材バラシバールの全体外観斜視図である。
【図２】同じく、本考案の実施例であるコンクリート型枠用補強資材バラシバールのヘッド単体の斜視図である。
【図３】コンクリート型枠を構成する例示型枠板の外面斜視図である。
【図４】柄部の上半部を後方へ所要角折曲した実施例を示す部分斜視図である。
【図５】（ａ）（ｂ）は、柄部が直線状のものと、柄部の上半部が後方へ所要角折曲されたものが作業時に身体にもたらす効果を説明する説明図である。
【考案を実施するための形態】
【００１８】
ヘッド部と前記柄部からなるコンクリート型枠用補強資材バラシバールにおいて、前記ヘッド部は、前面板部と後面板部が天板部により接続された側面視がコ字型の嵌合枠体と前記嵌合枠体の前面板部の下端縁から前方に突設された差込板部から構成され、前記差込板部には、先端が前下がりの鋭角面に形成されると共に先端が左右に開口し、基端が閉じるＶ字状の切込部が前後に設けられ、前記ヘッド部の天板部には、その上面より上方に突出する接続棒が溶接されて配備されてなる。前記柄部は、前記ヘッド部の天板部の接続棒に嵌合溶接されたパイプ部材が配備されてなる。
【実施例】
【００１９】
以下、本考案のコンクリート型枠用補強資材バラシバールを実施の一例である図面により説明すると、本考案のコンクリート型枠用補強資材バラシバール１（以下、単に型枠用補強資材バラシバール１という。）は、ヘッド部２０と柄部３０とから設けられる。
【００２０】
前記ヘッド部２０は、前面板部２１と後面板部２２が天板部２３により接続された側面視がコ字型の嵌合枠体２４と、前記前面板部２１の下端縁２１ａから前方に突出する差込板部２５とが設けられてなるものである。
【００２１】
前記ヘッド部２０の差込板部２５には、先端が前下がりの鋭角面２６に形成されると共に先端が左右に開口し、基端が閉じるＶ字状の切込部２７が前後に設けられる。
【００２２】
前記ヘッド部２０の天板部２３において、その上面より上方に突出する接続棒２８が溶接されて配備される。
【００２３】
前記柄部３０は、前記天板部２３の接続棒２８に嵌合した後、溶接されるパイプ部材３１が配備される。
【００２４】
前記柄部３０は、図４に示すに、上端寄り所要長さ３０ａが後方へ所要角折曲され、直線状で上端面３０ｂに至る形状に形成されてなるものとしてもよいものである。
【００２５】
前記柄部３０は、図示しないが、前記ヘッド部２０の天板部２３の上面より突出する筒状の接続部が配備され、これに棒体が適宜公知の固着手段により固着されてなるものでもよいものである。
【００２６】
本考案の型枠用補強資材バラシバール１は、上記のように構成されるから、図３に示すようなコンクリート型枠４０が、型枠板４１の外面に補強用桟木４２が所要の間隔で釘打ちされて配備されてなるものである場合、補強用桟木４２を解体するには、補強用桟木４２に対してヘッド部２０の前面板部２１と後面板部２２の両対面部は、補強用桟木４２の両側面に対し適当な隙間があるように設けられているので、補強用桟木４２を前面板部２１と後面板部２２の間に容易に嵌合することができ、また、前面板部２１と後面板部２２の高さは、補強用桟木４２より高く構成されているから、前面板部２１の下端縁２１ａと後面板部２２下端縁２２ａの夫々を型枠板４１に接面して、天板部２３の内天面２３ａを離すことができる。次に、前記のように、ヘッド部２０を補強用桟木４２に嵌合した後、ヘッド部２０の後面板部２２の下端縁２２ａを支点に柄部３０を後方稼働させると、ヘッド部２０の前面板部２１と後面板部に挟まれた補強用桟木４２は後方にこじられて型枠板４１から容易に解体されるものである。
【００２７】
型枠板４１の解体作業で、型枠板４１と補強用桟木４２の接合面の間に差し込むと同様な作業が必要な場合には、ヘッド部２０の差込板部２５を当該個所に差し入れして、それが釘打ち個所であれば、切込部２７を釘に合わせて差し込み、くぎとも共に解体することができる。
【００２８】
前記柄部３０は、図１及び図５（ａ）に示すように、全長に渡って直線状に形成されるもので、立姿で充分に作業を効率良く行うことができる。
【００２９】
前記柄部３０は、図４、図５（ｂ）に示すように、上端寄り所要長さ３０ａが後方へ所要角折曲され、直線状で上端面３０ｂに至る形状に形成されてなるもので、腕の作業の範囲が同じでも、テコを作用させる範囲が広がり腰、足を曲げる状態を少なくして身体への負担を軽減させることができるものである。
【産業上の利用可能性】
【００３０】
本考案の型枠用補強資材バラシバールは、コンクリート構造物の建設時に使用される型枠の再利用専用工具として活用できるものである。
【符号の説明】
【００３１】
１  型枠用補強資材バラシバール
２０  ヘッド部
２１  前面板部
２１ａ  下端縁
２２  後面板部
２２ａ  下端縁
２３  天板部
２３ａ  内天面
２４  嵌合枠体
２５  差込板部
２６  鋭角面
２７  切込部
２８  接続棒
３０  柄部
３０ａ  上端寄り所要長さ
３０ｂ  上端面
３１  パイプ部材
４０  コンクリート型枠
４１  型枠板
４２  補強用桟木
【図１】
0003211377.tif 000003
【図２】
0003211377.tif 000004
【図３】
0003211377.tif 000005
【図４】
0003211377.tif 000006
【図５】
0003211377.tif 000007